(57)【要約】      （修正有）【課題】簡単に、靴に取り付けたり、靴から取り外すことができることを特徴とする靴カバーを提供する。【解決手段】外部部材１２、内部部材１４、および底面部材１６で構成される。外部部材１２は、上面に、外部第１表面部が形成され、外部第１表面部の内周縁に外部内周縁部が形成され、側面に、外部側面部が形成され、外部内周縁部側の外部側面部に外部係着部が形成された外部部材１２が形成されており、上面に、内部第１表面部が形成され、内部第１表面部の内周縁に内部内周縁部が形成され、内部第１表面部の外周縁に内部外周縁部が形成され、側面に、内部側面部が形成され、内部内周縁部側の内部側面部に内部第１係着部が形成され、内部外周縁部側の内部側面部に内部第２係着部が形成された内部部材１４と、側面に、底面側面部が形成され、底面側面部の一部に、底面係着部が形成された底面部材１６と、を備えている。【選択図】図１
2020171607.tif 000002
【特許請求の範囲】
【請求項１】
靴の後部、および踵部を覆うための靴カバーであって、
前記靴の後部側の外部を被覆し、一方面に、外部第１表面部が形成され、前記外部第１表面部の周縁の一部に外部内周縁部が形成され、前記外部第１表面部の周縁から立ち上がる側面に、外部側面部が形成され、前記外部内周縁部側の前記外部側面部に外部係着部が形成された外部部材と、
前記靴の後部側の内側面部を被覆し、一方面に、内部第１表面部が形成され、前記内部第１表面部の周縁の一部に内部内周縁部が形成され、前記内部内周縁部に対向するように前記内部第１表面部の周縁に内部外周縁部が形成され、前記内部第１表面部の周縁から立ち上がる側面に、内部側面部が形成され、前記内部内周縁部側の前記内部側面部に内部第１係着部が形成され、前記内部外周縁部側の前記内部側面部に内部第２係着部が形成された内部部材と、
前記靴の使用者が前記靴を履いたときには、前記使用者の足の踵の下方に位置する靴の踵部を被覆するとともに、前記使用者の足の踵から伝わる体重を受け止めることによって前記靴の踵部に略固定され、側面に、底面側面部が形成され、前記底面側面部の一部に、底面係着部が形成された底面部材と、
を備え、
前記外部部材の前記外部係着部は、前記内部部材の前記内部第２係着部と係着しており、
前記内部部材の前記内部第１係着部は、前記底部部材の前記底面係着部と係着している、靴カバー。
【請求項２】
前記外部部材は、平面形状が略扇形状であり、前記外部第１表面部は、平面形状が略扇形状であり、前記外部内周縁部は、平面形状が略円弧形状であり、前記外部側面部は、側面形状が略長方形状であり、前記外部係着部は、側面形状が略長方形状であり、さらに、他方面に、平面形状が略扇形状である外部第２表面部が形成されており、前記外部内周縁部の２つの端部のそれぞれから連設するように、平面形状が略直線形状である外部側周縁部が形成されており、
前記内部部材は、平面形状が略扇形状であり、前記内部第１表面部は、平面形状が略扇形状であり、前記内部内周縁部は、平面形状が略円弧形状であり、前記内部側面部は、側面形状が略長方形状であり、前記内部第１係着部は、側面形状が略長方形状であり、前記内部第２係着部は、側面形状が略長方形状であり、さらに、他方面に、平面形状が略扇形状である内部第２表面部が形成されており、前記外部内周縁部の２つの端部のそれぞれから連設するように、平面形状が略直線形状である内部側周縁部が形成されており、
前記底面部材は、平面形状が略半楕円形状であり、前記底面側面部の平面形状は略長方形状であり、さらに、一方面に、平面形状が略半楕円形状である底面第１表面部が形成され、
前記底面第１表面部の平面形状が略半楕円形状である周縁に、底面第１周縁部が形成され、前記底面第１周縁部の２つの端部と連設するように、平面形状が略直線形状である底面第２周縁部が形成されており、前記底面側面部は、前記底面第１周縁部、および前記底面第２周縁部から立ち上がる側面に形成されており、他方面に、平面形状が略半楕円形状である底面第２表面部が形成され、前記底面第１周縁部側の前記底面側面部に、前記底面係着部が形成されていることを特徴とする、請求項１に記載の靴カバー。
【請求項３】
前記外部内周縁部の略中央部には、外部第１中央部が形成されており、
前記外部外周縁部の略中央部には、外部第２中央部が形成されており、
前記外部第２中央部から前記外部第１中央部に向かって外部切込み部が形成されており、
前記外部切込み部の先端には、外部先端部が形成されており、
前記外部先端部は、前記外部第２中央部と前記外部第１中央部を結ぶ直線上、または前記外部第２中央部と前記外部第１中央部を結ぶ直線の近傍の上に位置していることを特徴とする、請求項１、または請求項２のうちのいずれか１つに記載の靴カバー。
【請求項４】
前記外部切込み部には、ファスナーが取り付けられていることを特徴とする、請求項３に記載の靴カバー。
【請求項５】
さらに、係着部材と、を備え、
前記外部部材と前記内部部材は、前記外部内周縁部の近傍の前記外部部材と前記内部外周縁部の近傍の前記内部部材が、前記係着部材で、係着されることによって、係合していることを特徴とする、請求項１に記載の靴カバー。
【請求項６】
前記外部部材、前記内部部材、および、前記底面部材は、弾性体の両方の表面を布で被覆した被覆弾性素材により形成されていることを特徴とする、請求項２ないし請求項５のうちの１つに記載の靴カバー。
【請求項７】
前記被覆弾性素材は、前記弾性体はクロロプレンゴムであり、前記布はポリエチレンであるウェットスーツ生地であることを特徴とする、請求項６に記載の靴カバー。
【請求項８】
前記弾性体は、クロロプレンゴム、天然ゴム、合成ゴム、ウレタン、あるいはＥＶＡのうちのいずれか１つであり、
前記布は、ポリエチレン、ポリエステル、シルク、あるいは綿のうちのいずれか１つであることを特徴とする、請求項６に記載の靴カバー。
【請求項９】
靴外側面部の外側に現われた前記外部第２表面部には、反射テープ、ＬＥＤもしくは発信機のうちの少なくとも１つが取り付けられている、または宣伝広告のための企業のロゴマーク、商品名、もしくはサービス名のうちのいずれか少なくとも１つが表示されていることを特徴とする、請求項２ないし請求項８のうちの１つに記載の靴カバー。
【発明の詳細な説明】
【技術分野】
【０００１】
この発明は、靴カバーに関し、特に、例えば、靴の内側面、および外側面をカバーするために用いられる靴カバーに関する。
【背景技術】
【０００２】
靴を履いて歩くと、足の後部の後方に位置する靴の内側面部や、足の踵の下方に位置する靴の踵部には大きな力が加わるので、新しい靴を履き始めた段階から靴の内側面部や、靴の踵部は、擦り減ることが多いが、靴の内側面部や、靴の踵部が擦り減ると、靴の見栄えが悪くなる。
また、靴の外部の側面である靴の外側面部は、泥はねなどで汚れることが多いが、靴の外側面部は、泥はねなどで汚れても靴の見栄えが悪くなる。
【０００３】
このため、靴の内側面部や、靴の踵部の擦り減りを防止したり、擦り減った靴の内側面部や踵部を隠したり、靴の外側面部が泥はねなどで汚れることを防止するための靴カバーがある。
【０００４】
特許文献１に示す靴カバーは、特許文献１に示す靴カバーの底部に両面テープや接着剥離テープなどが貼り付けられており、特許文献１に示す靴カバーを靴に取り付けるためには、特許文献１に示す靴カバーの底部に貼り付けられた両面テープや接着剥離テープなどを、靴を履いたときに踵と接触する靴内部の踵部に貼り付けなければならない。
【０００５】
特許文献１に示す靴カバーを靴から取り外すためには、特許文献１に示す靴カバーの底部に貼り付けられた両面テープや接着剥離テープなどを靴内部の踵部から取り外さなければならない。
【先行技術文献】
【特許文献】
【０００６】
【特許文献１】実開昭６２−１２８４０９号公報
【発明の概要】
【発明が解決しようとする課題】
【０００７】
しかしながら、特許文献１に示す靴カバーを靴に取り付けるためには、特許文献１に示す靴カバーの底部に貼り付けられた両面テープや接着剥離テープなどを、靴を履いたときに足の踵を載せるための靴内部の踵部に貼り付けないといけないので、特許文献１に示す靴カバーを靴に取り付けるためには、手間がかかるという不具合がある。
特許文献１に示す靴カバーの本体１の底部は、平面積も厚みも小さいので、特許文献１に示す靴カバーの本体１の底部に足を載せて、特許文献１に示す靴カバーの本体１の底部の上に足の踵を載せても、特許文献１に示す靴カバーの本体１の底部を靴に固定することはできないという不具合がある。
特許文献１に示す靴カバーは、靴の内部は被覆するが、靴の外部はほとんど被覆していないので、靴の外側面部が泥はねなどで汚れることを防止することはできないという不具合がある。
【０００８】
特許文献１に示す靴カバーを靴から取り外すためには、特許文献１に示す靴カバーの底部に貼り付けられた両面テープや接着剥離テープなどを靴内部踵部から取り外さないといけないので、特許文献１に示す靴踵カバーを靴から取り外すには、手間がかかるという不具合がある。
また、特許文献１に示す靴踵カバーを靴から取り外すと、特許文献１に示す靴踵カバーの底部に貼り付けられた両面テープや接着剥離テープなどの表面に塗られた接着剤が靴内部踵部に残って、靴内部踵部を汚すこともあるという不具合がある。
【０００９】
それゆえに、この発明の主たる目的は、簡単に、靴に取り付けたり、靴から取り外すことができる靴カバーを提供することである。
【課題を解決するための手段】
【００１０】
この発明にかかる靴カバーは、簡単に、靴に取り付けたり、靴から取り外すことができることを特徴とする、靴カバーである。
【００１１】
この発明は、靴の後部、および踵部を覆うための靴カバーであって、靴の後部側の外部を被覆し、一方面に、外部第１表面部が形成され、外部第１表面部の周縁の一部に外部内周縁部が形成され、外部第１表面部の周縁から立ち上がる側面に、外部側面部が形成され、外部内周縁部側の外部側面部に外部係着部が形成された外部部材と、靴の後部側の内側面部を被覆し、一方面に、内部第１表面部が形成され、内部第１表面部の周縁の一部に内部内周縁部が形成され、内部内周縁部に対向するように内部第１表面部の周縁に内部外周縁部が形成され、内部第１表面部の周縁から立ち上がる側面に、内部側面部が形成され、内部内周縁部側の内部側面部に内部第１係着部が形成され、内部外周縁部側の内部側面部に内部第２係着部が形成された内部部材と、靴の使用者が靴を履いたときには、使用者の足の踵の下方に位置する靴の踵部を被覆するとともに、使用者の足の踵から伝わる体重を受け止めることによって靴の踵部に略固定され、側面に、底面側面部が形成され、底面側面部の一部に、底面係着部が形成された底面部材と、を備え、外部部材の外部係着部は、内部部材の内部第２係着部と係着しており、内部部材の内部第１係着部は、底部部材の底面係着部と係着している、靴カバーである。
外部部材、および内部部材は、１つの素材にプレス加工などの加工を行うことによって、外部部材の外部係着部、および内部部材の内部第２係着部が係着している１つの部材として形成されている。
ただし、外部部材の外部係着部は、縫い合わされることによって、内部部材の内部第２係着部と係着していてもよい。
また、外部部材の外部係着部は、粘着テープ、あるいは接着剤よって、内部部材の内部
第２係着部と係着していてもよい。
内部部材の内部第１係着部は、縫い合わされることによって、底部部材の底面係着部と係着している。
ただし、内部部材の内部第１係着部は、粘着テープ、あるいは接着剤よって、底部部材の底面係着部と係着していてもよい。
また、内部部材、および底部部材は、１つの素材にプレス加工などの加工を行うことによって、内部部材の内部第１係着部、および底部部材の底面係着部が係着している１つの部材として形成されていてもよい。
【００１２】
この発明にかかる靴カバーでは、外部部材は、平面形状が略扇形状であり、外部第１表面部は、平面形状が略扇形状であり、外部内周縁部は、平面形状が略円弧形状であり、外部側面部は、側面形状が略長方形状であり、外部係着部は、側面形状が略長方形状であり、さらに、他方面に、平面形状が略扇形状である外部第２表面部が形成されており、外部内周縁部の２つの端部のそれぞれから連設するように、平面形状が略直線形状である外部側周縁部が形成されており、内部部材は、平面形状が略扇形状であり、内部第１表面部は、平面形状が略扇形状であり、内部内周縁部は、平面形状が略円弧形状であり、内部側面部は、側面形状が略長方形状であり、内部第１係着部は、側面形状が略長方形状であり、内部第２係着部は、側面形状が略長方形状であり、さらに、他方面に、平面形状が略扇形状である内部第２表面部が形成されており、外部内周縁部の２つの端部のそれぞれから連設するように、平面形状が略直線形状である内部側周縁部が形成されており、底面部材は、平面形状が略半楕円形状であり、底面側面部の側面形状は略長方形状であり、さらに、一方面に、平面形状が略半楕円形状である底面第１表面部が形成され、底面第１表面部の平面形状が略半楕円形状である周縁に、底面第１周縁部が形成され、底面第１周縁部の２つの端部と連設するように、平面形状が略直線形状である底面第２周縁部が形成されており、底面側面部は、底面第１周縁部、および底面第２周縁部から立ち上がる側面に形成されており、他方面に、平面形状が略半楕円形状である底面第２表面部が形成され、底面第１周縁部側の底面側面部に、底面係着部が形成されており、底面係着部は側面形状が略長方形状であることを特徴とする、靴カバーであることが好ましい。
【００１３】
この発明にかかる靴カバーでは、底面第２周縁部側の底面側面部から延出して、足の足先底部、前足底部、および、中足底部を載せるための、平面形状が略半楕円形状である、延出底面部が形成されていることを特徴とする、靴カバーであることが好ましい。
【００１４】
この発明にかかる靴カバーでは、外部内周縁部の略中央部には、外部第１中央部が形成され、外部外周縁部の略中央部には、外部第２中央部が形成され、外部第２中央部から外部第１中央部に向かって外部切込み部が形成され、外部切込み部の先端には、外部先端部が形成されており、外部先端部は、外部第２中央部と外部第１中央部を結ぶ直線上、または外部第２中央部と外部第１中央部を結ぶ直線の近傍の上に位置していることを特徴とする、靴カバーであることが好ましい。
【００１５】
この発明にかかる靴カバーでは、外部切込み部には、ファスナーが取り付けられていることを特徴とする、靴カバーであることが好ましい。
【００１６】
この発明にかかる靴カバーでは、外部先端部の近傍の外部切込み部の側面形状は略円弧形状であり、底面第１周縁部の略楕円の頂点には、底面頂点部が形成されており、底面第２周縁部の略中央には、底面中央部が形成されており、底面中央部から底面頂点部に向かって底面切込み部が形成されており、底面切込み部の先端には、底面先端部が形成されており、底面先端部は、底面中央部と底面頂点部を結ぶ直線上、または底面中央部と底面頂点部を結ぶ直線の近傍の上に位置していることを特徴とする、靴カバーであることが好ましい。
【００１７】
この発明にかかる靴カバーでは、さらに、係着部材と、を備え、外部部材と内部部材は、外部内周縁部の近傍の外部部材と内部外周縁部の近傍の内部部材が、係着部材で係着することによって、係合していることを特徴とする、靴カバーであることが好ましい。
【００１８】
この発明にかかる靴カバーでは、外部部材、内部部材、および底面部材は、弾性体の両方の表面を布で被覆した被覆弾性素材を材料にして形成されていることを特徴とする、靴カバーであることが好ましい。
【００１９】
この発明にかかる靴カバーでは、被覆弾性素材は、弾性体はクロロプレンゴムであり、布はポリエチレンであるウェットスーツ生地であることを特徴とする、靴カバーであることが好ましい。
【００２０】
この発明にかかる靴カバーでは、弾性体は、クロロプレンゴム、天然ゴム、合成ゴム、ウレタン、あるいはＥＶＡのうちのいずれか１つであり、布は、ポリエチレン、ポリエステル、シルク、あるいは綿のうちのいずれか１つであることを特徴とする、靴カバーであることが好ましい。
【００２１】
この発明にかかる靴カバーでは、底面部材の平面積は、外部部材、および、内部部材の平面積を合計した平面積の０．１０倍ないし０．２０倍であることを特徴とする、靴カバーであることが好ましい。
【００２２】
この発明にかかる靴カバーでは、外部内周縁部の略中央には、外部第１略中央部が形成されており、外部外周縁部の略中央には、外部第２略中央部が形成されており、内部内周縁部の略中央には、外部第１略中央部が形成されており、外部外周縁部の略中央には、外部第２略中央部が形成されており、底面第１周縁部の略楕円形状の頂点には底面頂点部が形成されており、底面第２周縁部の略中央には底面中央部が形成されており、底面頂点部から底面中央部までは底面長軸が形成されており、底面第１周縁部の短軸には、底面短軸が形成されており、外部外周縁部の長さは、内部内周縁部の長さの約１．１０倍になっており、外部側周縁部と内部側周縁部の長さを合計した長さは、内部内周縁部の長さの約０．７８倍になっており、外部第１中央部から外部第２中央部までの長さと内部第１中央部から内部第２中央部までの長さを合計した長さは、内部内周縁部の長さの約０．８４倍になっており、底面長軸の長さは、内部内周縁部の長さの約０．４１倍になっており、底面短軸の長さは、内部内周縁部の長さの約０．３４倍になっており、底面第２周縁部の長さは、内部内周縁部の長さの約０．３１倍になっていることが好ましい。
【００２３】
足の各部分について説明する。
足は、中部に膝が形成されており、下部の上部に足首が形成され、足首の下部に足首と連設するように、足の後部が形成され、足の後部の横に、足の後部と連設するように足側面部が形成され、足側面部の横に、足側面部と連設するように、中足部が形成され、中足部の横に中足部と連設するように前足部が形成され、前足部の横に前足部と連設するように足先が形成され、足の底面に足底面が形成され、足底面の後部に踵が形成され、足底面の踵の横に、踵と連設するように中足底部が形成され、足底面の中足底部の横に、中足底部と連設するように前足底部が形成され、足底面の前足底部の横に、前足底部と連設するように足先底部が形成されている。
【００２４】
靴の構造について説明する。
靴は、上部に、平面形状が略円形状である、足を入れるための靴開口部が形成されており、靴開口部の周縁部である靴開口部周縁部から靴の内部に足を載せるために設けられている中敷きの周縁部である中敷き周縁部に向けて靴内側面部が形成されており、靴内側面部と連設するように、靴内側面部の側面から靴の内端部に向けて、略筒状である、靴筒状部が形成されており、中敷きの後部には、靴開口部から靴の内部に向けて足を挿入したときには、踵の下に位置する踵部が形成されており、靴開口部周縁部から靴の下部を補強するためのミッドソールの上周縁であるミッドソール上周縁部に向けて靴外側面部が形成されており、ミッドソールの底面に靴底部が形成されている。
【００２５】
この発明にかかる靴カバーでは、外部部材は、靴外側面部を被覆するので、靴外側面部が損傷することを防止し、また、靴外側面部が損傷したときには、靴外側面部のうち、損傷した部分を隠し、内部部材は、靴内側面部を被覆するので、靴内側面部が損傷することを防止し、また、靴内側面部が損傷したときには、靴内側面部のうち、損傷した部分を隠し、底面部材に踵を載せると、底面部材は、靴の使用者の足の踵の下方に位置する靴の踵部を被覆するので、靴の踵部が損傷することを防止し、また、靴の踵部が損傷したときには、靴の踵部のうち、損傷した部分を隠すことができる。
また、この発明にかかる靴カバーの底面部材は、使用者が靴を履いたときには、使用者の体の足の踵から伝わる体重を受け止めることによって靴の踵部に略固定されるので、この発明にかかる靴カバーは、両面テープや接着剥離テープを靴の踵部に貼らなくても、簡単に靴に取り付けることができる。
さらに、この発明にかかる靴カバーは、踵から伝わる体重によって靴の踵部に略固定しているだけなので、靴から足を抜去すれば、底面部材には、踵から体重は伝わらなくなる。
このため、この発明にかかる靴カバーは、靴から足を抜去すれば、靴から簡単に取り外すことができる。
【００２６】
この発明にかかる靴カバーでは、靴外側面部を被覆する外部部材は、平面形状が略扇形状なので、外部部材は靴外側面部を広い範囲で被覆することができる。
このため、外部部材は、靴外側面部の広い範囲で、靴外側面部が汚れることや、損傷することを防止して、靴外側面部が汚れているときや、損傷しているときには、靴外側面部の広い範囲で、靴外側面部の汚れや損傷を隠すことができる。
この発明にかかる靴カバーでは、靴内側面部を被覆する内部部材は、平面形状が略扇形状なので、内部部材で靴内側面部を被覆すると、内部部材は靴内側面部を広い範囲で被覆することができる。
このため、内部部材は、靴内側面部の広い範囲で、靴内側面部が汚れることや、損傷することを防止して、靴内側面部が汚れているときや、損傷しているときには、靴内側面部の広い範囲で、靴内側面部の汚れや損傷を隠すことができる。
この発明にかかる靴カバーでは、靴の踵部を被覆する底面部材は、平面形状が略半楕円形状なので、底面部材で靴の踵部を被覆すると、底面部材で靴の踵部の広い範囲で被覆することができる。
このため、底面部材は、靴の踵部の広い範囲で、靴の踵部が汚れることや、損傷することを防止し、また、靴の踵部が汚れているときや、損傷したときには、靴の踵部の広い範囲で、靴の踵部の汚れや損傷を隠すことができる。
また、この発明にかかる靴カバーの靴の踵部を被覆する底面部材は、平面形状が略半楕円形状なので、使用者の足の踵から伝わる体重を十分に受け止めて、靴の踵部に略固定される。
このため、この発明にかかる靴カバーは、両面テープや接着剥離テープを貼らなくても、簡単に靴に取り付けて、靴から足を抜去すれば、底面部材には、使用者の足の踵から伝わる体重が伝わらなくなるので、靴から取り外すことができる。
【００２７】
この発明にかかる靴カバーは、底面第２周縁部側の底面側面部から延出して、足の足先底部、前足底部、および中足底部を載せるための、平面形状が略半楕円形状である、延出底面部が形成されているので、この発明にかかる靴カバーを靴に取り付けてから、使用者の足を靴開口部から靴の内部に挿入すると、延出底面部は、使用者の足の足先底部、前足底部、および中足底部から伝わる体重を受け止める。
このため、この発明にかかる靴カバーは、底面部材が使用者の足の踵から伝わる体重を受け止めるだけではなく、延出底面部が使用者の足の足先底部、前足底部、および中足底部から伝わる体重を受け止めるので、この発明にかかる靴カバーは、使用者の足の全体から伝わる体重を受け止めることによって靴の中敷きに略固定される。
このため、この発明にかかる靴カバーは、両面テープや接着剥離テープを靴の踵部に貼らなくても、簡単に靴に取り付けて、靴に略固定することができる。
さらに、この発明にかかる靴カバーは、使用者の足の全体から伝わる体重によって靴の踵部に略固定しているだけなので、靴から足を抜去すれば、底面部材には、踵から体重は伝わらなくなる。
このため、この発明にかかる靴カバーは、靴から足を抜去すれば、靴から簡単に取り外すことができる。
【００２８】
この発明にかかる靴カバーでは、外部内周縁部の略中央部には、外部第１中央部が形成され、外部外周縁部の略中央部には、外部第２中央部が形成され、外部第２中央部から外部第１中央部に向かって外部切込み部が形成され、外部切込み部の先端には、外部先端部が形成されており、外部先端部は、外部第２中央部と外部第１中央部を結ぶ直線上、または外部第２中央部と外部第１中央部を結ぶ直線の近傍の上に位置しているので、外部部材を外部第１中央部から外部側周縁部に向けて略円弧形状の外部折り返し線を形成して、外部折り返し線で折り返せば、外部部材を地面や床面には接触しないようにすることができる。
このため、この発明にかかる靴カバーの外部部材は、地面や床面には接触することによって汚れることや、擦れることを防止することができる。
【００２９】
この発明にかかる靴カバーでは、切込みには、ファスナーが取り付けられているので、この発明にかかる靴カバーで靴外側面部、および靴内面部を被覆した後に、ファスナーを閉じると、外部部材は、靴外側面部に強固に略固定され、外側面部から上下左右方向にほとんどずれることなく、靴外側面部を被覆した状態を維持することができて、内部部材は、靴内側面部に強固に略固定され、内側面部から上下左右方向にほとんどずれることなく、靴内側面部を被覆した状態を維持することができる。
【００３０】
この発明にかかる靴カバーでは、外部先端部の近傍の外部切込み部の側面形状は略円弧形状であり、底面第１周縁部の略楕円の頂点には、底面頂点部が形成されており、底面第２周縁部の略中央には、底面中央部が形成されており、底面中央部から底面頂点部に向かって底面切込み部が形成されており、底面切込み部の先端には、底面先端部が形成されており、底面先端部は、底面中央部と底面頂点部を結ぶ直線上、または底面中央部と底面頂点部を結ぶ直線の近傍の上に位置しているので、底面部材で靴の踵部を被覆する範囲や、外部部材で靴外側面部を被覆する範囲を変更することができる。
【００３１】
この発明にかかる靴カバーでは、さらに、係着部材と、を備え、外部部材と内部部材は、外部内周縁部の近傍の外部部材と内部外周縁部の近傍の内部部材は、係着部材で係着されることによって、係合しているので、外部部材は、より容易に、靴開口部周縁部を折り返し線にして、靴外側面部の方向に折り返すことができる。
このため、この発明にかかる靴カバーでは、外部部材は、より容易に、靴開口部周縁部を折り返し線にして、靴外側面部の方向に折り返して、靴外側面部を被覆することができる。
係着部材には、糸や粘着テープなどがある。
【００３２】
この発明にかかる靴カバーの外部部材、内部部材、および、底面部材は、弾性体の両方の表面を布で被覆した被覆弾性素材を材料にして形成されているので、使用者が靴を履いたときには、使用者の足の踵は靴の踵部と擦れにくく、また、足の後部は靴の内側面部と擦れにくいので、使用者の足は靴擦れしにくくすることができる。
【００３３】
この発明にかかる靴カバーの外部部材、内部部材、および、底面部材は、クロロプレンゴムの両方の表面にポリエチレン布を被覆したウェットスーツ生地を材料に形成されているので、使用者が靴を履いたときには、使用者の足の踵は靴の踵部と擦れにくく、また、使用者の足の後部は靴の内側面部と擦れにくいので、使用者の足の踵や足の後部は靴擦れしにくく、また、靴の踵部や靴の内側面部は損傷しにくくなる。
また、この発明にかかる靴カバーの底面部材は、ウェットスーツ生地を材料に形成されているので、この発明にかかる靴カバーで被覆した靴を履いて歩いたときに、靴から踵、あるいは膝に伝わる衝撃を緩和することができる。
【００３４】
この発明にかかる靴カバーでは、弾性体は、クロロプレンゴム、天然ゴム、合成ゴム、ウレタン、あるいはＥＶＡのうちのいずれか１つであり、布は、ポリエチレン、ポリエステル、シルク、あるいは綿のうちのいずれか１つであるので、この発明にかかる靴カバーで被覆した靴を履いて歩いたときに、靴から踵、あるいは膝に伝わる衝撃を緩和することができる。
【００３５】
この発明にかかる靴カバーでは、底面部材の平面積は、外部部材、および内部部材の平面積を合計した平面積の０．１０倍ないし０．２０倍であってもよい。
底面部材の平面積は、外部部材、および内部部材の平面積を合計した平面積の０．１０倍ないし０．２０倍であれば、底面部材は、踵のほぼ全体を載せるぐらいの平面積になるので、この発明にかかる靴カバーは、足から体重を十分に受け止めて、踵部に略固定される。
このため、この発明にかかる靴カバーは、靴に取り付けて、足を靴に挿入すると、底面部材と踵部との間に両面テープや接着剥離テープを貼らなくても、靴に略固定される。
また、この発明にかかる靴カバーは、足から体重を十分に受け止めて、踵部に略固定されているだけなので、足を靴から抜去すると、この発明にかかる靴カバーは、靴から取り外すことができる。
【００３６】
この発明にかかる靴カバーでは、外部内周縁部の略中央には、外部第１略中央部が形成されており、外部外周縁部の略中央には、外部第２略中央部が形成されており、内部内周縁部の略中央には、外部第１略中央部が形成されており、外部外周縁部の略中央には、外部第２略中央部が形成されており、底面第１周縁部の略楕円形状の頂点には底面頂点部が形成されており、底面第２周縁部の略中央には底面中央部が形成されており、底面頂点部から底面中央部までは底面長軸が形成されており、外部外周縁部の長さは、内部内周縁部の長さの約１．１０倍になっており、外部側周縁部と内部側周縁部の長さを合計した長さは、内部内周縁部の長さの約０．７８倍になっており、外部第１中央部から外部第２中央部までの長さと内部第１中央部から内部第２中央部までの長さを合計した長さは、内部内周縁部の長さの約０．８４倍になっており、底面長軸の長さは、内部内周縁部の長さの約０．４１倍になっており、底面短軸の長さは、内部内周縁部の長さの約０．３４倍になっており、底面第２周縁部の長さは、内部内周縁部の長さの約０．３１倍になっているので、底面部材は、踵のほぼ全体を載せるぐらいの平面積になるので、底面部材は、足から体重を十分に受け止めて、踵部に略固定される。
このため、この発明にかかる靴カバーは、靴に取り付けて、足を靴に挿入すると、底面部材と踵部との間に両面テープや接着剥離テープを貼らなくても、靴に略固定される。
また、この発明にかかる靴カバーは、足から体重を十分に受け止めて、踵部に略固定されているだけなので、足を靴から抜去すると、この発明にかかる靴カバーは、靴から取り外すことができる。
【発明の効果】
【００３７】
この発明の靴カバーによれば、使用者が靴を履いたときには、使用者の足の踵は靴擦れしにくいという効果がある。
この発明の靴カバーによれば、靴の損傷を防止するという効果がある。
この発明の靴カバーによれば、靴の損傷した部分を隠すという効果がある。
この発明の靴カバーによれば、両面テープや接着剥離テープを貼らなくても、簡単に靴に取り付けたり、靴から取り外すことができるという効果がある。
【００３８】
この発明の上述の目的、その他の目的、特徴および利点は、図面を参照して行う以下の発明を実施するための形態の説明から一層明らかとなろう。
【図面の簡単な説明】
【００３９】
【図１】この発明の靴カバーの実施形態を示す斜視図である。
【図２】使用者の足の側面図である。
【図３】靴の斜視透視図である。
【図４】靴に足を挿入した状態を示す断面図である。
【図５】（ａ）実施例１の靴カバーの展開図である。（ｂ）実施例１の靴カバーの斜視図である。（ｃ）実施例１の靴カバーの正面図である。（ｄ）実施例１の靴カバーの背面図である。
【図６】（ａ）実施例１の靴カバーの外部部材の平面図である。（ｂ）実施例１の靴カバーの外部部材の側面図である。（ｃ）実施例１の靴カバーの外部部材の底面図である。（ｄ）実施例１の靴カバーの外部部材の正面図である。（ｅ）実施例１の靴カバーの外部部材の背面図である。
【図７】（ａ）実施例１の靴カバーの内部部材の平面図である。（ｂ）実施例１の靴カバーの内部部材の側面図である。（ｃ）実施例１の靴カバーの内部部材の底面図である。（ｄ）実施例１の靴カバーの内部部材の正面図である。（ｅ）実施例１の靴カバーの内部部材の背面図である。
【図８】（ａ）実施例１の靴カバーの底面部材の平面図である。（ｂ）実施例１の靴カバーの底面部材の側面図である。（ｃ）実施例１の靴カバーの底面部材の底面図である。（ｄ）実施例１の靴カバーの底面部材の正面図である。（ｅ）実施例１の靴カバーの底面部材の背面図である。
【図９】（ａ）被覆弾性素材の拡大断面図である。（ａ）ウェットスーツ生地の拡大断面図である。
【図１０】（ａ）実施例１の靴カバーをブーツのように使用するときの斜視図である。（ｂ）実施例１の靴カバーをブーツのように使用するときに外部部材を面ファスナーで固定するときの斜視図である。
【図１１】（ａ）実施例２の靴カバーの展開図である。（ｂ）実施例２の靴カバーの斜視図である。
【図１２】（ａ）実施例３の靴カバーの展開図である。（ｂ）実施例３の靴カバーの斜視図である。
【図１３】（ａ）実施例４の靴カバーの展開図である。（ｂ）実施例４の靴カバーの斜視図である。
【図１４】（ａ）実施例５の靴カバーの展開図である。（ｂ）実施例５の靴カバーの斜視図である。
【図１５】（ａ）実施例６の靴カバーの展開図である。（ｂ）実施例６の靴カバーの斜視図である。
【図１６】（ａ）変形例１の靴カバーの展開図である。（ｂ）変形例１の靴カバーの斜視図である。
【発明を実施するための形態】
【００４０】
靴カバー１０は、特に、靴の後部、および踵部を覆うためのものである。以下、詳細に説明する。
なお、本発明の説明においては、靴カバーを靴に装着したときにおいて、靴底部が地面に接する側を下ないしは下方といい、垂直方向における靴底部の反対側ないしはそれより更に上を、上ないしは上の方向という。
【００４１】
この実施の形態の靴カバー１０は、使用者が靴２００を履いたときには、靴２００の後部の外側面である靴外側面部２３０を被覆する外部部材１２、使用者の足３００の後部３０４の後方に位置する靴内側面部２２０を被覆する内部部材１４、および使用者が靴２００を履いたときには、使用者の足３００の踵３０２の下方に位置する靴２００の踵部２１０を被覆するとともに、使用者の足３００の踵３０２から伝わる体重を受け止めることによって靴２００の踵部２１０に略固定される平面積、および厚みを有する底面部材１６によって構成される。
【００４２】
（実施例１）
図１は、この発明にかかる靴カバーの実施形態を示す斜視図であり、図２は、足の側面図であり、図３は、靴の透視斜視図であり、図４は、靴カバーの実施形態を示す断面面図である。
【００４３】
この実施例１の靴カバー１０は、図１に示すように、靴２００の踵部２１０、靴内側面部２２０、および靴外側面部２３０を被覆して保護するものである。
【００４４】
この実施例１の靴カバー１０は、本発明の目的を達成するために、図１、および図５に示すように、外部部材１２、内部部材１４、および底面部材１６によって構成される。
【００４５】
外部部材１２は、図６に示すように、平面形状が略扇形状であり、一方面に、平面形状が略扇形状である外部第１表面部１１０が形成されており、外部第１表面部１１０の内側の周縁に、平面形状が略円弧形状である外部内周縁部１１６が形成されており、外部第１表面部１１０の側面側の２つの周縁のそれぞれに、外部内周縁部１１６の２つの端部のそれぞれから、外部内周縁部１１６の端部と連設するように、平面形状が略直線形状である外部側周縁部１１８が形成されており、外部第１表面部１１０の外面側の周縁に、外部側周縁部１１８の端部のうち外部内周縁部１１６の端部とは連設していない２つの端部のそれぞれを連設するように、平面形状が略円弧形状である外部外周縁部１２０が形成されており、外部内周縁部１１６、外部側周縁部１１８、および外部外周縁部１２０から立ち上がる側面に、側面形状が略長方形状である外部側面部１１２が形成されており、他方面に、平面形状が略扇形状である外部第２表面部１１４が形成されている。
外部内周縁部１１６側の外部側面部１１２には、外部係着部１２２が形成されている。
外部内周縁部１１６の略中央には、外部第１中央部１２４が形成されている。
外部外周縁部１２０の略中央には、外部第２中央部１２６が形成されている。
【００４６】
内部部材１４は、図７に示すように、平面形状が略扇形状であり、一方面に、平面形状が略扇形状である内部第１表面部１３０が形成されており、内部第１表面部１３０の内側の周縁に、平面形状が略円弧形状である内部内周縁部１３６が形成されており、内部第１表面部１３０の側面側の２つの周縁のそれぞれに、内部内周縁部１３６の２つの端部のそれぞれから、内部内周縁部１３６の端部と連設するように、平面形状が略直線形状である内部側周縁部１３８が形成されており、内部第１表面部１３０の外面側の周縁に、内部側周縁部１３８の端部のうち内部内周縁部１３６の端部とは連設していない２つの端部のそれぞれを連設するように、平面形状が略円弧形状である内部外周縁部１４０が形成されており、内部内周縁部１３６、内部側周縁部１３８、および内部外周縁部１４０から立ち上がる側面に、側面形状が略長方形状である内部側面部１３２が形成されており、他方面に、平面形状が略扇形状である内部第２表面部１３４が形成されている。
内部内周縁部１３６側の内部側面部１３２に内部第１係着部１４２が形成されている。
内部外周縁部１４０側の内部側面部１３２に内部第２係着部１４４が形成されている。
内部内周縁部１３６の略中央には、内部第１中央部１４６が形成されている。
内部外周縁部１４０の略中央には、内部第２中央部１４８が形成されている。
【００４７】
底面部材１６は、図８に示すように、平面形状が略半楕円形状であり、一方面に、平面形状が略半楕円形状である底面第１表面部１５０が形成されており、底面第１表面部１５０の一方の周縁に、平面形状が略半楕円形状である底面第１周縁部１５６が形成されており、底面第１表面部１５０の他方の周縁に、底面第１周縁部１５６の２つの端部と連設するように、平面形状が略直線形状である底面第２周縁部１５８が形成されており、底面第１周縁部１５６、および底面第２周縁部１５８から立ち上がる側面に、側面形状が略長方形状である底面側面部１５２が形成されており、他方面に、平面形状が略半楕円形状である底面第２表面部１５４が形成されており、底面第１周縁部１５６側の底面側面部１５２に、底面係着部１６０が形成されている。
底面第１周縁部１５６の略半楕円の頂点には、底面頂点部１６２が形成されている。
底面第２周縁部１５８の略半楕円の頂点には、底面中央部１６４が形成されている。
【００４８】
外部部材１２の外部係着部１２２は、図５に示すように、内部部材１４の内部第２係着部１４４と係着している。
内部部材１４の内部第１係着部１４２は、図５に示すように、底面部材１６の底面係着部１６０と係着している。
外部部材１２、および内部部材１４は、１つの素材にプレス加工などの加工を行うことによって、外部部材１２の外部係着部１２２、および内部部材１４の内部第２係着部１４４が係着している１つの部材として形成されている。
ただし、外部部材１２の外部係着部１２２は、縫い合わされることによって、内部部材１４の内部第２係着部１４４と係着していてもよい。
また、外部部材１２の外部係着部１２２は、粘着テープ、あるいは接着剤よって、内部部材１４の内部第２係着部１４４と係着していてもよい。
内部部材１４の内部第１係着部１４２は、縫い合わされることによって、底部部材１６の底面係着部１６０と係着している。
ただし、内部部材１４の内部第１係着部１４２は、粘着テープ、あるいは接着剤よって、底部部材１６の底面係着部１６０と係着していてもよい。
また、内部部材１４、および底部部材１６は、１つの素材にプレス加工などの加工を行うことによって、内部部材１４の内部第１係着部１４２、および底部部材１６の底面係着部１６０が係着している１つの部材として形成されていてもよい。
【００４９】
外部部材１２は、図１に示すように、靴外側面部２３０を被覆するための部材である。
内部部材１４は、図１に示すように、靴内側面部２２０を被覆するための部材である。
底面部材１６は、図１に示すように、踵部２１０を被覆するとともに、使用者が靴２００を履いたときには、使用者の足３００の踵３０２から伝わる体重を受け止めることによって靴２００の踵部２１０に略固定するための部材である。
外部第１表面部１１０、図１に示すように、および外部第２表面部１１４は、少なくとも靴外側面部２３０の略全体を被覆できるぐらいの面積がある。
内部第１表面部１３０、および内部第２表面部１３４は、図１に示すように、少なくとも靴内側面部２２０の略全体を被覆できるぐらいの面積がある。
底面第１表面部１５０、および底面第２表面部１５４は、図１に示すように、少なくとも踵部２１０の略全体を被覆できるぐらいの面積がある。
外部部材１２が靴外側面部２３０の略全体を被覆するために、図５に示すように、外部外周縁部１２０の長さは、外部内周縁部１１６の長さより長くなっている。
内部部材１４が靴内側面部２２０の略全体を被覆するために、図５に示すように、内部外周縁部１４０の長さは、内部内周縁部１３６の長さより長くなっている。
底面部材１６は、踵部２１０を被覆するとともに、使用者が靴２００を履いたときには、使用者の足３００の踵３０２から伝わる体重を受け止めることによって靴２００の踵部２１０に略固定するためには、底面部材１６は、踵３０２の略全体を載せることができる平面積を有していなければならない。
足３００の平面積も様々であるが、底面部材１６は、成人男性の平均的な踵３０２の略全体を載せることができる平面積を有していれば、成人男性、成人女性、子供も実施例１の靴カバー１０を使うことができると考えられる。
【００５０】
足３００の各部分について説明する。
足３００は、図２に示すように、中部に膝３１６が形成されており、下部の上部に足首３１４が形成され、足首３１４の下部に足首３１４と連設するように、足の後部３０４が形成され、足の後部３０４の横に、足の後部３０４と連設するように足側面部３１８が形成され、足側面部３１８の横に、足側面部３１８と連設するように、中足部３１２が形成され、中足部３１２の横に中足部３１２と連設するように前足部３１０が形成され、前足部３１０の横に前足部３１０と連設するように足先３０８が形成され、足３００の底面に足底面３０６が形成され、足底面３０６の後部に踵３０２が形成され、足底面３０６の踵３０２の横に中足部３１２の下部である中足底部３２４が形成され、足底面３０６の中足底部３２４の横に前足部３１０の下部である前足底部３２２が形成され、足底面３０６の前足底部３２２の横に足先３０８の底部である足先底部３２０が形成されている。
【００５１】
靴２００の構造について説明する。
靴２００は、図３に示すように、上部に、略円形状である、足を入れるための靴開口部２０２が形成されており、靴開口部２０２の周縁部である靴開口部周縁部２０４から靴２００の内部に足３００を載せるために設けられている中敷き２０６の周縁部である中敷き周縁部２０８に向けて靴内側面部２２０が形成されており、靴内側面部２２０と連設するように、靴内側面部２２０の側面から靴２００の内端部に向けて、略筒状である、靴筒状部２１２が形成されており、中敷き２０６の後部には、靴開口部２０２から靴２００の内部に向けて足３００を挿入したときには、踵３０２の下に位置する踵部２１０が形成されており、靴開口部周縁部２０４から靴２００の下部を補強するためのミッドソール２１４の上周縁であるミッドソール上周縁部２１６に向けて靴外側面部２３０が形成されており、ミッドソール２１４の底面に靴底部２１８が形成されている。
踵部２１０には、周縁に、平面形状が略半楕円形状である踵部第１周縁部２４２が形成されており、踵部第１周縁部２４２の端部と連設するように、平面形状が略直線形状である踵部第２周縁部２４０が形成されている。
【００５２】
実施例１の靴カバー１０は、靴２００に取り付けて使用する。
【００５３】
実施例１の靴カバー１０を靴２００に取り付ける方法について説明する。
内部部材１４、および底面部材１６を靴開口部２０２から靴２００の内部に挿入する。
底面部材１６を靴開口部２０２から靴２００の内部に挿入すると、図１、および図４に示すように、底面部材１６は、底面第１表面部１５０と踵部２１０とが向かい合うように、踵部２１０を被覆する。
内部部材１４を靴開口部２０２から靴２００の内部に挿入すると、内部部材１４は、外部第１表面部１１０と靴内側面部２２０が向かい合うように、靴内側面部２２０を被覆し、外部部材１２は、靴開口部２０２から靴２００の外部に突出する。
外部部材１２は、靴開口部周縁部２０４を折り返し線にして、靴外側面部２３０の側に折り返すと、外部部材１２は、外部第１表面部１１０と靴外側面部２３０が向かい合うように、靴外側面部２３０を被覆する。
外部部材１２が靴外側面部２３０を被覆すると、外部第２表面部１１４は、靴外側面部２３０の外部に現われる。
【００５４】
底面部材１６は、図４に示すように、使用者の踵３０２の略全体を載せることができる平面積を有しているので、踵３０２から伝わる体重の少なくとも大半を受け止めることができる。
このため、底面部材１６で踵部２１０を被覆した後に、底面部材１６の上に足３００を載せると、図４に示すように、底面部材１６は、踵３０２から伝わる体重によって、踵部２１０に押し付けられるので、底面部材１６は踵部２１０に略固定される。
底面部材１６が踵部２１０に略固定されると、実施例１の靴カバー１０は、靴２００に略固定される。
このため、実施例１の靴カバー１０は、特許文献１に示す靴カバーのように、踵部２１０に、両面テープや接着剥離テープを貼らなくても、靴２００に略固定することができる。
【００５５】
実施例１の靴カバー１０は、踵３０２から伝わる体重によって靴２００の踵部２１０に略固定されているだけなので、靴２００から足３００を抜去すれば、底面部材１６には、踵３０２から体重は伝わらなくなるので、底面部材１６は踵部２１０に押し付けられなくなる。
底面部材１６が、踵部２１０に押し付けられなくなれば、実施例１の靴カバー１０は、靴２００に略固定されなくなる。
このため、この発明にかかる靴カバー１０は、靴２００から足３００を抜去すれば、靴２００から簡単に取り外すことができる。
【００５６】
実施例１の靴カバー１０の使用方法について説明する。
図１に示すように、底面部材１６が、踵部２１０を被覆すると、図４に示すように、踵３０２は踵部２１０と直接擦れることはなくなるので、踵３０２に靴擦れが生じにくくすることができるとともに、踵部２１０を損傷しにくくすることができる。
底面部材１６が、踵部２１０を被覆すると、底面部材１６は、踵３０２と踵部２１０との間に挟まれる緩衝材の役割を果たすので、使用者が靴２００を履いて歩くときに、靴２００から踵３０２、あるいは膝３１６に伝わる衝撃を緩和することができる。
底面部材１６は、踵部２１０が損傷しているときに踵部２１０を被覆すると、損傷した踵部２１０を隠すことができる。
【００５７】
内部部材１４が、靴内側面部２２０を被覆すると、図４に示すように、足の後部３０４は靴内側面部２２０と直接擦れることはなくなるので、足の後部３０４には、靴擦れが生じにくくすることができるとともに、靴内側面部２２０を損傷しにくくすることができる。
内部部材１４は、靴内側面部２２０が損傷しているときに靴内側面部２２０を被覆すると、損傷した靴内側面部２２０を隠すことができる。
【００５８】
外部部材１２が、図１、および図４に示すように、靴外側面部２３０を被覆すると、外部部材１２が、靴外側面部２３０に代わって、泥はねなどを受け止めることによって、靴外側面部２３０が泥はねなどで汚れることを防止することができる。
外部第２表面部１１４が靴外側面部２３０の外側に現われると、外部第２表面部１１４には、アートデザインを描いたり、企業のロゴマーク、商品名、あるいは、サービス名を書く、または表示することによって、外部第２表面部１１４を広告宣伝に使うことができる。
また、外部第２表面部１１４が靴外側面部２３０の外側に現われると、外部第２表面部１１４には、反射テープやＬＥＤなどを取り付けて、実施例１の靴カバー１０を靴２００に取り付けて、靴２００を履く人の安全性を高めることができる。
【００５９】
このほかに、図１０に示すように、外部部材１２は、靴外側面部２３０を被覆させないで、靴開口部２０２から靴２００の外部に突出したままにすると、靴２００をブーツのように使うことができる。
外部部材１２は、靴外側面部２３０を被覆させないで、靴開口部２０２から靴２００の外部に突出したまま、靴２００をブーツのように使うときには、足首３１４と外部第１表面部１１０は互いに向かい合って位置し、外部第２表面部１１４が足首３１４の外側に現われる。
外部部材１２は、靴外側面部２３０を被覆させないで、靴開口部２０２から靴２００の外部に突出したまま、靴２００をブーツのように使うときに、ズボン２９０の裾２９２を外部部材１２と足首３１４の間に入れれば、裾２９２からズボン２９０の中に空気が入りにくいので、寒さ対策になる、
外部部材１２は、靴外側面部２３０を被覆させないで、靴開口部２０２から靴２００の外部に突出したまま、靴２００をブーツのように使うときに、外部第２表面部１１４に面ファスナー２４６などを係着させれば、外部部材１２をズボン２９０の外周によりしっかりと略固定することができる。
【００６０】
外部部材１２、内部部材１４、および底面部材１６は、図９に示すように、弾性体２５６の両方の表面を布２５８で被覆した被覆弾性素材２６０を材料にして形成されている。
外部部材１２、内部部材１４、および底面部材１６が、被覆弾性素材２６０を材料にして形成されていれば、被覆弾性素材２６０は、使用者の足３００と靴２００の内部との間の緩衝材になるので、使用者が靴２００を履いて歩くときでも、使用者の足３００は靴２００の内部と擦れにくいので、使用者の足３００は靴擦れができにくく、また、靴２００の内部は損傷しにくくすることができる。
【００６１】
被覆弾性素材２６０は、図９に示すように、ウェットスーツ生地２５０であってもよい。
ウェットスーツ生地２５０とは、ゴムの一種であるクロロプレンゴム２５２の両方の表面部をポリエチレン２５４などの布で被覆した生地である。
クロロプレンゴム２５２は、高い弾力性を有している。
ポリエチレン２５４は、高い防湿性、耐水性を有している。
ウェットスーツ生地２５０は、防湿性、耐水性があるので、靴２００を履いているときに、靴２００の中が蒸れにくくなる。
ウェットスーツ生地２５０の厚さは３ｍｍが最適であるが、２ｍｍないし５ｍｍの範囲にあればよい。
【００６２】
足の後部３０４と靴内側面部２２０との間にウェットスーツ生地２５０を介在させると、ウェットスーツ生地２５０に内包されるクロロプレンゴム２５２が、足の後部３０４と靴内側面部２２０との間に生じる摩擦を低下させるので、足の後部３０４と靴内側面部２２０が擦れることによる靴擦れが生じにくくすることができる。
踵３０２と踵部２１０との間にウェットスーツ生地２５０を介在させると、ウェットスーツ生地２５０に内包されるクロロプレンゴム２５２が、踵３０２と踵部２１０との間に生じる摩擦を低下させるので、踵３０２と踵部２１０が擦れることによる靴擦れを生じにくくすることができる。
また、踵３０２と踵部２１０との間にウェットスーツ生地２５０を介在させると、ウェットスーツ生地２５０に内包されるクロロプレンゴム２５２が、靴２００を履いて歩いているときに、踵部２１０から踵３０２、あるいは踵３０２に伝わる衝撃を緩和するので、靴２００を履いて歩いているときに、踵３０２、あるいは膝３１６に伝わる衝撃を抑制することができる。
【００６３】
被覆弾性素材２６０は、ウェットスーツ生地２５０ではなくても、弾性体２５６は、クロロプレンゴム２５２、天然ゴム、合成ゴム、ウレタン、ＥＶＡのうちのいずれか１つであり、布２５８は、ポリエチレン２５４、ポリエステル、シルク、あるいは綿のうちのいずれか１つであるものであってもよい。
天然ゴム、合成ゴム、ウレタン、およびＥＶＡは、クロロプレンゴム２５２と同じように、高い弾力性を有している。
ポリエステルは、ポリエチレン２５４と同じように、高い防湿性、耐水性を有している。
シルク、あるいは綿の防湿性、耐水性は、ポリエチレン２５４、あるいはポリエステルの防湿性、耐水性と比べると、劣るところがある。
弾性体２５６は、クロロプレンゴム２５２であり、布２５８は、ポリエチレン２５４であれば、被覆弾性素材２６０は、ウェットスーツ生地２５０になる。
しかし、弾性体２５６は、クロロプレンゴム２５２であり、布２５８は、ポリエチレン２５４ある組み合わせ以外で、弾性体２５６は、クロロプレンゴム２５２、天然ゴム、合成ゴム、ウレタン、ＥＶＡのうちのいずれか１つであり、布２５８は、ポリエチレン２５４、ポリエステル、シルク、あるいは綿のうちのいずれか１つにして被覆弾性素材２６０を形成しても、被覆弾性素材２６０は、ウェットスーツ生地２５０とほぼ同じ効果が生じる。
【００６４】
このため、足の後部３０４と靴内側面部２２０との間にウェットスーツ生地２５０以外の被覆弾性素材２６０を介在させると、ウェットスーツ生地２５０以外の被覆弾性素材２６０に内包される弾性体２５６が、足の後部３０４と靴内側面部２２０との間に生じる摩擦を低下させるので、足の後部３０４と靴内側面部２２０が擦れることによる靴擦れが生じにくくすることができる。
踵３０２と踵部２１０との間にウェットスーツ生地２５０の被覆弾性素材２６０を介在させると、ウェットスーツ生地２５０以外の被覆弾性素材２６０に内包される弾性体２５６が、踵３０２と踵部２１０との間に生じる摩擦を低下させるので、踵３０２と踵部２１０が擦れることによる靴擦れを生じにくくすることができる。
また、踵３０２と踵部２１０との間にウェットスーツ生地２５０以外の被覆弾性素材２６０を介在させると、ウェットスーツ生地２５０以外の被覆弾性素材２６０に内包される弾性体２５６が、靴２００を履いて歩いているときに、踵部２１０から踵３０２、あるいは踵３０２に伝わる衝撃を緩和するので、靴２００を履いて歩いているときに、踵３０２、あるいは膝３１６に伝わる衝撃を抑制することができる。
【００６５】
実施例１の靴カバー１０は、人間が履く靴だけではなく、動物に履かせる靴を被覆することもできる。
実施例１の靴カバー１０を動物に履かせる靴２００を被覆するために使うためには、底面部材１６は、それぞれの動物の踵３０２の略全体を載せることができる平面積を有していなければならない。
【００６６】
実施例１の靴カバー１０は、被覆弾性素材２６０を材料にして形成されていなくても実施することができる。
【００６７】
実施例１の靴カバー１０では、底面部材１６の平面積は、外部部材１２、および内部部材１４の平面積を合計した平面積の０．１０倍ないし０．２０倍であってもよい。
底面部材１６の平面積は、外部部材１２、および内部部材１４の平面積を合計した平面積の０．１０倍ないし０．２０倍であれば、底面部材１６は、踵３０２のほぼ全体を載せるぐらいの平面積になるので、実施例１の靴カバー１０は、足３００から体重を十分に受け止めて、踵部２１０に略固定される。
このため、実施例１の靴カバー１０は、靴２００に取り付けて、足３００を靴２００に挿入すると、底面部材１６と踵部２１０との間に両面テープや接着剥離テープを貼らなくても、靴２００に略固定される。
また、実施例１の靴カバー１０は、足３００から体重を十分に受け止めて、踵部２１０に略固定されているだけなので、足３００を靴２００から抜去すると、実施例１の靴カバー１０は、靴２００から取り外すことができる。
【００６８】
実施例１の靴カバー１０では、外部内周縁部１１６の略中央には、外部第１略中央部１２４が形成されており、外部外周縁部１２０の略中央には、外部第２略中央部１２６が形成されており、内部内周縁部１３６の略中央には、外部第１略中央部１４６が形成されており、外部外周縁部１４０の略中央には、外部第２略中央部１４８が形成されており、底面第１周縁部１５６の略楕円形状の頂点には底面頂点部１６２が形成されており、底面第２周縁部１５８の略中央には底面中央部１６４が形成されており、底面頂点部１６２から底面中央部１６４までは底面長軸１８４が形成されており、底面第１周縁部１５６の短軸には、底面短軸１８６が形成されている。
【００６９】
外部外周縁部１２０の長さは、内部内周縁部１３６の長さの約１．１０倍になっており、外部側周縁部１１８と内部側周縁部１３８の長さを合計した長さは、内部内周縁部１３６の長さの約０．７８倍になっており、外部第１中央部１２４から外部第２中央部１２６までの長さと内部第１中央部１４６から内部第２中央部１４８までの長さを合計した長さは、内部内周縁部１３６の長さの約０．８４倍になっており、底面長軸１８４の長さは、内部内周縁部の長さの約０．４１倍になっており、底面短軸１８６の長さは、内部内周縁部１３６の長さの約０．３４倍になっており、底面第２周縁部１５８の長さは、内部内周縁部１３６の長さの約０．３１倍になっていてもよい。
【００７０】
外部外周縁部１２０の長さ、外部側周縁部１１８と内部側周縁部１３８の長さを合計した長さ、外部第１中央部１２４から外部第２中央部１２６までの長さと内部第１中央部１４６から内部第２中央部１４８までの長さを合計した長さ、底面長軸１８４の長さ、底面短軸１８６の長さが、内部内周縁部１３６の長さに対して上記のような比率になっていれば、底面部材１６は、踵３０２のほぼ全体を載せるぐらいの平面積になるので、底面部材１６は、足３００から体重を十分に受け止めて、踵部２１０に略固定されるので、実施例１の靴カバー１０は、靴２００に取り付けて、足３００を靴２００に挿入すると、底面部材１６と踵部２１０との間に両面テープや接着剥離テープを貼らなくても、靴２００に略固定される。
また、実施例１の靴カバー１０は、足３００から体重を十分に受け止めて、踵部２１０に略固定されているだけなので、足３００を靴２００から抜去すると、実施例１の靴カバー１０は、靴２００から取り外すことができる。
【００７１】
（実施例２）
図１１に示す実施例２の靴カバー１０は、実施例１の靴カバー１０の変形例である。
【００７２】
実施例２の靴カバー１０と実施例１の靴カバー１０が異なるのは、図１１に示すように、実施例２の靴カバー１０の底面部材１６は、底面第２周縁部１５８側の底面側面部１５２から延出して、中足底部３２４、前足底部３２２、および足先底部３２０を載せることができる、平面形状が略楕円形状である、延出底面部２２が形成されている点である。
【００７３】
実施例２の靴カバー１０の底面部材１６、および延出底面部２２には、中足底部３２４、前足底部３２２、および足先底部３２０も載せることができるので、実施例２の靴カバー１０は、実施例１の靴カバー１０よりも、広い範囲で中敷き２０６に略固定することができる。
このため、実施例２の靴カバー１０は、実施例１の靴カバー１０よりも、よりしっかりと靴２００に略固定することができる。
【００７４】
（実施例３）
図１２に示す実施例３の靴カバー１０は、実施例２の靴カバー１０の変形例である。
【００７５】
実施例３の靴カバー１０と実施例２の靴カバー１０が異なるのは、図１２に示すように、実施例３の靴カバー１０の外部第１中央部１２４から外部第２中央部１２６に向けて、外部切込み部１７０が形成されている点である。
外部切込み部１７０の先端には、外部先端部１７２が形成されている。
外部先端部１７２は、外部第２中央部１２６と外部第１中央部１２４を結ぶ直線上、
または外部第２中央部１２６と外部第１中央部１２４を結ぶ直線の近傍の上に位置している。
【００７６】
外部部材１２に外部切込み部１７０が形成されていれば、実施例３の靴カバー１０を靴２００に取り付けるときに、外部切込み部１７０を左右に開けば、実施例２の靴カバー１０は、靴２００に装着しやすくなる。
また、外部部材１２に外部切込み部１７０が形成されていれば、外部部材１２を外部先端部１７２から外部側周縁部１１８に向けて側面形状が略円弧形状である外部折り返し線１７６を形成して、外部部材１２を外部折り返し線１７６で外部第２表面部１１４から外部方向に折り返せば、外部部材１２を地面や床面には接触しないようにすることができるので、実施例３の靴カバー１０が地面や床面に接触することによって汚れたり、擦れるのを防止することができる。
【００７７】
（実施例４）
図１３に示す実施例４の靴カバー１０は、実施例３の靴カバー１０の変形例である。
【００７８】
実施例４の靴カバー１０と実施例３の靴カバー１０が異なるのは、図１３に示すように、実施例３の靴カバー１０の外部部材１２の外部切込み部１７０には、ファスナー１７４が取り付けられている点である。
【００７９】
実施例４の靴カバー１０の外部部材１２で靴外側面部２３０を被覆した後に、ファスナー１７４を閉じると、実施例４の靴カバー１０の外部部材１２は、実施例３の靴カバー１０よりも、より強固に靴外側面部２３０に略固定することができて、実施例４の靴カバー１０の内部部材１４は、実施例３の靴カバー１０よりも、より強固に靴内側面部２２０に略固定することができる。
実施例４の靴カバー１０の外部部材１２を強固に靴外側面部２３０に略固定すると、実施例４の靴カバー１０の外部部材１２は、靴外側面部２３０から上下左右方向にほとんどずれることなく、靴外側面部２３０を被覆した状態を維持することができる。
実施例４の靴カバー１０の内部部材１４を強固に靴内側面部２２０に略固定すると、実施例４の靴カバー１０の内部部材１４は、靴内側面部２２０から上下左右方向にほとんどずれることなく、靴内側面部２２０を被覆した状態を維持することができる。
【００８０】
（実施例５）
図１４に示す実施例５の靴カバー１０は、実施例３の靴カバー１０の変形例である。
【００８１】
実施例５の靴カバー１０と実施例３の靴カバー１０が異なるのは、図１４に示すように、実施例５の靴カバー１０は、外部先端部１７２の近傍の外部切込み部１７０の側面形状が略円弧形状であり、底面第１周縁部１５６の平面略楕円の頂点には、底面頂点部１６２が形成されており、底面第２周縁部１５８の略中央には、底面中央部１６４が形成されており、底面中央部１６４から底面頂点部１６２に向かって底面切込み部１８０が形成されており、底面切込み部１８０の先端には、底面先端部１８２が形成されており、底面先端部１８２は、底面中央部１６４と底面頂点部１６２を結ぶ直線上、または底面中央部１６４と底面頂点部１６２を結ぶ直線の近傍の上に位置している点である。
【００８２】
実施例５の靴カバー１０の底面部材１６には、底面中央部１６４から底面頂点部１６２に向けて底面切込み部１８０が形成されているので、実施例５の靴カバー１０の底面部材１６の大部分が２つに分かれる。
実施例５の靴カバー１０の底面部材１６の大部分が２つに分かれるので、底面部材１６で靴２００の踵部２１０を被覆する範囲や、外部部材１２で靴外側面部２３０を被覆する範囲を変更することができる。
【００８３】
（実施例６）
図１５に示す実施例６の靴カバー１０は、実施例１の靴カバー１０の変形例である。
【００８４】
実施例６の靴カバー１０と実施例１の靴カバー１０が異なるのは、図１５に示すように、実施例６の靴カバー１０は、さらに、係着部材１８を備えており、外部部材１２と内部部材１４は、外部内周縁部１１６の近傍の外部部材１２と内部外周縁部１４０の近傍の内部部材１４が、係着部材１８で係着されることによって、係合している点である。
【００８５】
外部部材１２と内部部材１４は、外部内周縁部１１６の近傍の外部部材１２と内部外周縁部１４０の近傍の内部部材１４が、係着部材１８で係着されることによって、係合しているので、外部部材１２は、実施例１の靴カバー１０の外部部材１２よりも容易に、靴開口部周縁部２０４を折り返し線にして、靴外側面部２３０の方向に折り返すことができる。
このため、この発明にかかる靴カバーでは、外部部材１２は、より容易に、靴開口部周縁部２０４を折り返し線にして、靴外側面部２３０の方向に折り返して、靴外側面部２３０を被覆することができる。
係着部材１８には、糸２４、あるいは粘着テープ２６などがある。
【００８６】
（変形例１）
図１６に示す変形例１の靴カバー１０は、実施例１の靴カバー１０の変形例である。
【００８７】
変形例１の靴カバー１０と実施例１の靴カバー１０が異なるのは、図１６に示すように、変形例１の靴カバー１０は、底面部材１６に代えて、筒部材２０を備えている点である。
【００８８】
筒部材２０は、外側面に、略半円筒形状である、筒外表面部２７０が形成されており、外底面に、筒外表面部２７０と連設するように、平面形状が略半楕円形状である、筒外底面部２７２が形成されている。
筒外表面部２７０の上面には、平面形状は略楕円形状である、筒第１開口部２７４が形成されている。
筒第１開口部２７４の周縁には、筒開口部周縁部２８０が形成されている。
筒第１開口部２７４から筒部材２０の内部に向けて、筒孔部２７８が形成されている。
筒部材２０は、内側面に、略半円筒形状である、筒内表面部２８２が形成されており、内底面に、筒内表面部２８２と連設するように、平面形状が略半楕円形状である、筒内底面部２８４が形成されている。
筒内表面部２８２の側面方向の周縁と筒内底面部２８４の側面方向の周縁は、側面形状が略半楕円形状である、筒第２開口部２７６が形成されている。
【００８９】
内部内周縁部１３６は、筒第１開口部２７４の平面略楕円形の短軸方向の一方の頂点の近傍から、平面略楕円形の長軸方向の頂点のうち、筒第２開口部２７６が形成されている側とは反対方向の頂点を含む、略楕円形の短軸方向の他の一方の頂点の近傍までの筒第１開口部２７４の周縁の近傍と係着している。
【００９０】
変形例１の靴カバー１０を靴２００に取り付ける方法について説明する。
内部部材１４、および筒部材２０を靴開口部２０２から靴２００の内部に挿入する。
内部部材１４、および筒部材２０を靴開口部２０２から靴２００の内部に挿入すると筒外表面部２７０は、筒外表面部２７０と靴筒状部２１２が向かい合うように、靴筒状部２１２を被覆し、筒外底面部２７２は、筒外底面部２７２と中敷き２０６が向かい合うように、中敷き２０６の踵部２１０から足３００の前足部３１０が載る部分までを被覆する。
【００９１】
内部部材１４、および筒部材２０を靴開口部２０２から靴２００の内部に挿入すると、外部部材１２は、靴開口部２０２から靴２００の外部に突出する。
靴開口部２０２から靴２００の外部に突出した外部部材１２を、靴開口部周縁部２０４を折り返し線にして、靴外側面部２３０の方向に折り返すと、外部第１表面部１１０が靴外側面部２３０と向かい合うように、靴外側面部２３０を被覆し、外部第２表面部１１４は、靴外側面部２３０の外側に現われる。
【００９２】
変形例１の靴カバー１０の使用方法について説明する。
変形例１の靴カバー１０を靴２００に取り付けた後に、足３００を筒第１開口部２７４から変形例１の靴カバー１０の内部に挿入すると、足先３０８は、筒第２開口部２７６から突出し、前足部３１０、中足部３１２、および足底面３０６は筒内表面部２８２と接触し、足の後部３０４は筒内表面部２８２と接触し、前足底部３２２、中足底部３２４、および踵３０２は筒内底面部２８４と接触し、足首３１４は筒孔部２７８と接触する。
【００９３】
変形例１の靴カバー１０は、実施例１の靴カバー１０とは異なり、使用者が靴を履いて歩くと、踵部２１０が踵３０２に略固定されるだけではなく、前足底部３２２、中足底部３２４からも体重を受け止めるので、実施例１の靴カバー１０よりも足３００から体重を受け止める面積が大きくなる。
このため、変形例１の靴カバー１０は、実施例１の靴カバー１０よりも、中敷き２０６に広い範囲で略固定することができるので、実施例１の靴カバー１０よりも、靴２００に、より強固に略固定することができる。
【産業上の利用可能性】
【００９４】
この発明にかかる靴カバーは、靴を被覆して、靴の損傷を防止したり、靴の損傷した部分を隠すという用途に適用できる。
【符号の説明】
【００９５】
１０    靴カバー
１２    外部部材
１４    内部部材
１６    底面部材
１８    係着部材
２０    筒部材
２２    延出底面部
２４    糸
２６    粘着テープ
（１２  外部部材）
１１０  外部第１表面部
１１２  外部側面部
１１４  外部第２表面部
１１６  外部内周縁部
１１８  外部側周縁部
１２０  外部外周縁部
１２２  外部係着部
１２４  外部第１中央部
１２６  外部第２中央部
（１４  内部部材）
１３０  内部第１表面部
１３２  内部側面部
１３４  内部第２表面部
１３６  内部内周縁部
１３８  内部側周縁部
１４０  内部外周縁部
１４２  内部第１係着部
１４４  内部第２係着部
１４６  内部第１中央部
１４８  内部第２中央部
（１６  底面部材）
１５０  底面第１表面部
１５２  底面側面部
１５４  底面第２表面部
１５６  底面第１周縁部
１５８  底面第２周縁部
１６０  底面係着部
１６２  底面頂点部
１６４  底面中央部
（１２  外部部材）
１７０  外部切込み部
１７２  外部先端部
１７４  ファスナー
１７６  外部折り返し線
（１６  底面部材）
１８０  底面切込み部
１８２  底面先端部
１８４  底面長軸
１８６  底面短軸
２００  靴
２０２  靴開口部
２０４  靴開口部周縁部
２０６  中敷き
２０８  中敷き周縁部
２１０  踵部
２１２  靴筒状部
２１４  ミッドソール
２１６  ミッドソール上周縁部
２１８  靴底部
２２０  靴内側面部
２３０  靴外側面部
２４０  踵部第２周縁部
２４２  踵部第１周縁部
２５０  ウェットスーツ生地
２５２  プロロプレンゴム
２５４  ポリエチレン
２５６  弾性体
２５８  布
２６０  被覆弾性素材
（２０  筒部材）
２７０  筒外表面部
２７２  筒外底面部
２７４  筒第１開口部
２７６  筒第２開口部
２７８  筒孔部
２８０  筒開口部周縁部
２８２  筒内表面部
２８４  筒内底面部
２９０  ズボン
２９２  裾
３００  足
３０２  踵
３０４  足の後部
３０６  足底面
３０８  足先
３１０  前足部
３１２  中足部
３１４  足首
３１６  膝
３１８  足側面部
３２０  足先底部
３２２  前足底部
３２４  中足底部
【図１】
2020171607.tif 000003
【図２】
2020171607.tif 000004
【図３】
2020171607.tif 000005
【図４】
2020171607.tif 000006
【図５】
2020171607.tif 000007
【図６】
2020171607.tif 000008
【図７】
2020171607.tif 000009
【図８】
2020171607.tif 000010
【図９】
2020171607.tif 000011
【図１０】
2020171607.tif 000012
【図１１】
2020171607.tif 000013
【図１２】
2020171607.tif 000014
【図１３】
2020171607.tif 000015
【図１４】
2020171607.tif 000016
【図１５】
2020171607.tif 000017
【図１６】
2020171607.tif 000018